(57)【要約】【課題】  シャーシや背面キャビネットの大型化が進むと、薄型テレビの軽量化を図るために背面キャビネットの外周縁とシャーシの外周縁の厚みをも薄くする必要が生じた。そのため、薄くなった背面キャビネットの外周縁及びシャーシの外周縁に取り付け構造を構成したのでは、背面キャビネットの固定強度が十分に確保できない。【解決手段】  背面から前面に向かって拡開する傾斜面を外面に備えるシャーシと、前記シャーシの外側から前記被収容物の背面を覆って取り付けられる背面キャビネットと、を備える筐体であって、前記傾斜面から突設して設けられた係止部に、前記背面キャビネットの内側面に設けられた爪部を係止することによって、前記背面キャビネットが前記背面キャビネットの外周縁よりも内側において取り付けであることを特徴とする筐体を提供する。【選択図】  図４
2020031408.tif 000002
【特許請求の範囲】
【請求項１】
被収容物の周囲に設けられ、前記被収容物の背面から前面に向かって拡開する傾斜面を外面に備えるシャーシと、
前記シャーシの外側から前記被収容物の背面を覆って取り付けられる背面キャビネットと、を備え、
前記傾斜面から突設して設けられた係止部と、
前記背面キャビネットの内側面に設けられた爪部と、を有し、
前記爪部を前記係止部に係止することによって、前記背面キャビネットが前記背面キャビネットの外周縁よりも内側において取り付けられてなる
ことを特徴とする筐体。
【請求項２】
前記係止部が、前記傾斜面に対して固定された補強板の端辺であって、
前記端辺が前記傾斜面上に位置する
ことを特徴とする請求項１に記載の筐体。
【請求項３】
前記爪部が、前記背面キャビネットの内側面から突設した弾性体に掛り片が形成されてなる
ことを特徴とする請求項１または２のいずれか１つに記載の筐体。
【請求項４】
前記弾性体が、背面キャビネットの外周縁に対して平行に互いに離間して立設された脚部と、前記脚部を連接して前記背面キャビネットの内側面との間に空間を形成してなる連接部とからなるブリッジ形状に形成されてなり、前記掛り片が前記連接部に形成されてなる
ことを特徴とする請求項３に記載の筐体。
【請求項５】
前記被収容物が、画像表示部であり、
請求項１〜４のいずれか１つに係る筐体を備えてなる
ことを特徴とする表示装置。
【請求項６】
請求項５に係る表示装置を備えてなる
ことを特徴とする薄型テレビ。
【請求項７】
被収容物の周囲に設けられ、前記被収容物の背面から前面に向かって拡開する傾斜面を外面に備えるシャーシと、
前記シャーシの外側から前記被収容物の背面を覆って取り付けられる背面キャビネットと、を備えると共に、
前記傾斜面から突設して設けられた係止部と、
前記背面キャビネットの内側面に設けられた爪部と、を有する筐体において、
前記爪部を前記係止部に係止することによって、前記背面キャビネットを前記背面キャビネットの外周縁よりも内側において取り付ける
ことを特徴とする背面キャビネットの取り付け方法。
【発明の詳細な説明】
【技術分野】
【０００１】
本発明は、筐体及び背面キャビネットの取り付け方法に関する。
【背景技術】
【０００２】
近年、薄型テレビは大型化が進められている。それに伴い、ディスプレイ等の表示装置を収容するシャーシや背面キャビネットによって構成される筐体も大型化されている。そして、背面キャビネットをシャーシ等に固定する際、強度上の問題や、熱膨張による背面キャビネットの反りの問題が生じるため、従来において多くのビスを用いて背面キャビを固定する構造が用いられていた。しかしながら、ビスの数を際限なく増やすことは製造コストの増大などの理由から現実的ではない。そこで、特許文献１に示すように、背面キャビネットの外周縁とシャーシの外周縁とに形成した取り付け構造によって、背面キャビネットをシャーシに取り付ける構造も開示されている。
【先行技術文献】
【特許文献】
【０００３】
【特許文献１】特許第５７７１６５７号公報
【発明の概要】
【発明が解決しようとする課題】
【０００４】
しかし、シャーシや背面キャビネットの大型化がさらに進むと、薄型テレビの軽量化を図るために背面キャビネットの外周縁とシャーシの外周縁の厚みをも薄くする必要が生じた。そのため、薄くなった背面キャビネットの外周縁及びシャーシの外周縁に取り付け構造を構成したのでは、背面キャビネットの固定強度が十分に確保できないという問題が生じた。また、熱膨張による背面キャビネットの反りの発生により、筐体における背面キャビネットとシャーシとの接合部分に浮きが発生するという問題が生じていた。
【課題を解決するための手段】
【０００５】
そこで、上記課題を解決する手段として本発明に係る筐体は、被収容物の周囲に設けられ、前記被収容物の背面から前面に向かって拡開する傾斜面を外面に備えるシャーシと、前記シャーシの外側から前記被収容物の背面を覆って取り付けられる背面キャビネットと、を備え、前記傾斜面から突設して設けられた係止部と、前記背面キャビネットの内側面に設けられた爪部と、を有し、前記爪部を前記係止部に係止することによって、前記背面キャビネットが前記背面キャビネットの外周縁よりも内側において取り付けられてなることを特徴とする。
【０００６】
また、前記係止部が、前記傾斜面に対して固定された補強板の端辺であって、前記端辺が前記傾斜面上に位置するものであっても好ましい。
【０００７】
なお、前記係止部は、前記補強板の端辺に代えて、前記補強板の有無にかかわらず、前記傾斜面を構成するシャーシの一部を、前方側が背面側よりも前記傾斜面に対して大きく反り返る形状に突設させることによって構成されてなるものであってもよい。
【０００８】
さらに、前記爪部が、前記背面キャビネットの内側面から突設した弾性体に掛り片が形成されてなるものであっても好ましい。
【０００９】
さらにまた、前記弾性体が、背面キャビネットの外周縁に対して平行に互いに離間して立設された脚部と、前記脚部を連接して前記背面キャビネットの内側面との間に空間を形成してなる連接部とからなるブリッジ形状に形成されてなり、前記掛り片が前記連接部に形成されてなるものであっても好ましい。
【００１０】
また、前記被収容物が、画像表示部であると共に、前記筐体を備えてなることを特徴とする表示装置であっても好ましい。表示装置は、画像表示部に画像や映像を表示することができる。
【００１１】
さらに、前記表示装置を備えてなる薄型テレビであっても好ましい。
【００１２】
また、上記課題を解決する手段として本発明に係る背面キャビネットの取り付け方法は、被収容物の周囲に設けられ、前記被収容物の背面から前面に向かって拡開する傾斜面を外面に備えるシャーシと、前記シャーシの外側から前記被収容物の背面を覆って取り付けられる背面キャビネットと、を備えると共に、前記傾斜面から突設して設けられた係止部と、前記背面キャビネットの内側面に設けられた爪部と、を有する筐体において、前記爪部を前記係止部に係止することによって、前記背面キャビネットを前記背面キャビネットの外周縁よりも内側において取り付ける方法であることを特徴とする。
【発明の効果】
【００１３】
本発明によれば、背面キャビネットの外周縁若しくはシャーシの外周縁に取り付け構造を形成することなく、背面キャビネットを、その外周縁よりも内側においてシャーシに取り付けることができる。
【００１４】
これにより、大型化した背面キャビネットやシャーシを備えた筐体であっても、背面キャビネットとシャーシとの接合部分に浮きが生ずることを防止できる。
【００１５】
さらに、大型化した背面キャビネットやシャーシを備えた筐体であっても、背面キャビネットとシャーシとの接合部分に浮きが生じない表示装置、又は当該表示装置を備えた薄型テレビを実現することができる。
【図面の簡単な説明】
【００１６】
【図１】背面キャビネット２の内側面３を示す図である。
【図２】背面キャビネット２の内側面３の外側縁と側縁との角部に設けられた爪部５を拡大した斜視図である。
【図３】背面キャビネット２の内側面３の外側縁よりも少し内側の位置に設けられた爪部５の一つを拡大して示した斜視図である。
【図４】シャーシ６の外面に背面キャビネット２を取り付けた状態を示す部分断面図である。
【図５】シャーシ６を省略し、爪部５と係止部２０との係合状態を示す部分断面斜視図である。
【発明を実施するための形態】
【００１７】
以下、本発明に係る実施の形態を、図を参照しながら詳しく説明する。
【００１８】
図１は、薄型テレビの筐体１の背面部分を構成する背面キャビネット２の内側面３を示す図である。図１によれば、背面キャビネット２の内側面の外周縁４よりも少し内側の位置に、当該内側面３の上側縁及び両側縁に沿って爪部５が配置されてなる。
【００１９】
なお、本実施の形態においては、爪部５が設けられていない下側縁は、図示しないビスを用いて背面キャビネット２とシャーシ６とを固定することとする。
【００２０】
図２は、背面キャビネット２の内側面３の外側縁と側縁との角部に設けられた爪部５を拡大した斜視図であり、図３は、背面キャビネット２の内側面３の外側縁よりも少し内側の位置に設けられた爪部５の一つを拡大して示した斜視図である。
【００２１】
図３に示すように、爪部５は、背面キャビネット２の内側面３を基端として突設した弾性体７の先端部に掛り片８が形成されてなる。さらに、弾性体７は、背面キャビネット２の外周縁４に対して平行に互いに離間して立設された脚部９，９と、脚部９，９を連接して背面キャビネット２の内側面３との間に空間１０を形成してなる連接部１１とからなるブリッジ形状に形成されてなる。掛り片８は、連接部１１に形成されてなる。
【００２２】
掛り片８は、内側面３の内方に向かって連接部１１から突設されてなる。
【００２３】
図４は、シャーシ６の外面に背面キャビネット２が取り付けられた筐体１を示す部分断面図である。シャーシ６は、収納空間１２に二点鎖線で示す液晶型画像表示部、若しくは有機ＥＬ型画像表示部等の被収容物１３を収容し、当該被収容物１３を保護するようにその周囲に設けられる。また、シャーシ６は、被収容物１３の背面から前面に向かって拡開する傾斜面１４を外面に備える。
【００２４】
さらに、シャーシ６の背面１５に設けられてなる取付部材１６には、補強板１８が固定ネジ１７によって固定されてなる。
【００２５】
シャーシ６は、固定された補強板１８によって、背面１５から傾斜面１４にかけて覆われてなる。傾斜面１４に対して固定された補強板１８の端辺１９は、傾斜面１４上に位置してなり、本実施形態において端辺１９が係止部２０となる。
【００２６】
そして、背面キャビネット２の内側面３に設けられた爪部５が、係止部２０である補強板１８の端辺１９に係止されることによって、背面キャビネット２を、シャーシ６の背面から取り付けることができる。
【００２７】
なお、係止部２０は、補強板１８の端辺１９に代えて、補強板１８の有無にかかわらず、傾斜面１４を構成するシャーシ６の一部を、前方側が背面側よりも傾斜面１４に対して大きく反り返る形状に突設させることによって構成されてなるものであってもよい。
【００２８】
爪部５は、図４及び図５に示すように、掛り片８の基端側面において、係止部２０と係合することができる。
【００２９】
脚部９，９は、内側面３の外周縁４側に向かって延出してなる補強部９ａを有してなり、掛り片８が係止部２０から受けた応力を受けても脚部９，９の外方への屈曲変形を防止し、係止部２０との係合状態を維持できる。
【００３０】
一方、連接部１１は、内側面３との間に空間１０が形成されることによって先端方向からの応力に対して弾性を備えるため、背面キャビネット２をシャーシ６に取り付ける際に係止部２０からの応力を受けた際に適度な変形が可能であり、爪部５と係止部２０とを係合状態とすることができる。
【００３１】
以上のようにシャーシ６、及びシャーシ６に取り付けられた背面キャビネット２によって形成された筐体１が、シャーシ６の内部に例えば液晶型画像表示部１３を収容することによって、画像や映像を表示する表示装置を構成することができる。さらに、当該表示装置により、大型化した背面キャビネット２及びシャーシ６によって形成された筐体１を備えながらも、背面キャビネット２とシャーシ６との接合部分に浮きを生じない構造を備える薄型テレビを実現することが可能となる。
【符号の説明】
【００３２】
１  筐体
２  背面キャビネット
３  内側面
４  外周縁
５  爪部
６  シャーシ
１４  傾斜面
１８  補強板
１９  端辺
２０  係止部
【図１】
2020031408.tif 000003
【図２】
2020031408.tif 000004
【図３】
2020031408.tif 000005
【図４】
2020031408.tif 000006
【図５】
2020031408.tif 000007